(57)【要約】【課題】出隅・入隅・壁面等には、反射プリズム付きポ−ルを設置できない点である。それにより測針器付きプリズム等を使用せざるを得ず三脚等で固定が困難な為、測量補助者が必要となり一人では測量できなくなる。また、観測点が僅かでも視準出来ないと観測は困難である点。【解決手段】２個のプリズム等を１個の部品で結合させ、照準点・第１反射プリズム・第２反射プリズムを定量的に配置する。目標点に照準点を位置決めすれば、画一的にオフセットされた２点の偏心点を設定出来る。２点の偏心点と目標点との偏心距離と偏心方向の位置関係（偏心要素）が偏心前に決まっているので、その２点を観測し座標換算すれば、目標点を座標上で容易に帰心計算できる。【選択図】　　図３
2004053328.tif 000002
【特許請求の範囲】
【請求項１】
測点観測が困難な箇所に対する測量において、目標点に対して偏心要素である偏心距離と偏心方向の両方の要素を画一的に決定した上で２点の偏心点を設定する事を特徴とし、その画一的に偏心させた２点の偏心点と目標点との偏心距離と偏心方向の位置関係は定数的に偏心前に決まっているので、その２点を観測し座標換算すれば、目標点を座標上で容易に帰心計算できる方法。
【請求項２】
測定体の一方の端部に、測定点に位置決めする位置決め部（照準点）を備えた測定体であって、２個の反射鏡と照準点を所定の偏心距離で直線上に設置した測定体。
【請求項３】
前記測定体は、水準器を備えている請求項２に記載の測定体。
【請求項４】
前記測定体は、位置決め部に測針を備えている請求項２に記載の測定体。
【請求項５】
前記測定体は、位置決め部に下げ振り用フックを備えている請求項２に記載の測定体。
【発明の詳細な説明】
【０００１】
【発明が属する技術分野】
測量機器を利用する測量・土木・建設の分野
【０００２】
【従来の技術】
土地や建物をト−タルステ−ションと称される光波測距儀で測量するとき、測点に於ける反射鏡にはプリズム・ノンプリズム（反射シートを含む）式があるが、本件では代表して反射プリズムと称する。観測点に反射プリズム付ポールを設置して測量する場合で、擁壁・建物等の出隅・入隅の角点や壁面に対しての側面からの測量するとき、角点には反射プリズム付ポール自体の大きさが障害となり設置出来ないため、測点観測が困難であった。
【０００３】
出隅・入隅等の観測点に反射プリズム付きポ−ルを設置できない状況では、図１に示すように反射プリズムに測針器と称する補助部品を取り付け測針器の先端を観測点に接合させて観測する方法があるが、反射プリズムの外径が障害となり光軸に反射プリズムを正対させづらく、水平角αが鋭角となると１回の視準で同時に水平角観測と距離測定をすることは困難になる。
【０００４】
既出願には、実開昭５９−１３１０７７及び実開平０６−００４６１４及び特開２００１−１７４２６１がある。何れの提案も目標点に対して偏心要素である偏心距離のみを定数化する事に主眼が置かれている為、入隅点を光波測距儀での測量する場合、偏心点の水平角と水平距離の観測の外、目標点の水平角の観測が出来ないと帰心計算できない。つまり反射プリズムが１個であるので確定条件が不足するため、目標点が僅かでも視準出来ないと位置算出は困難となる。
【０００５】
測定体を利用せずに該測定体と同様の効果を求めるなら、目標点から水糸を伸長し２本の反射プリズム付きポ−ルをそれぞれ水糸上に設置する、地盤が平坦でない場合もあり直線上に配置することに注意が必要である。その後、目標点と反射プリズム付きポ−ルの間隔を巻尺又は物差しにて測定し記録する、測定値の偏心距離は当然同一でなく帰心計算時に錯誤に陥りやすい。作業効率も悪く、誤差も大きい。
【０００６】
【発明が解決しようとする課題】
測点観測が困難な箇所に対する測量作業の簡素化と測量精度の向上である。例えば、出隅・入隅・壁面等には、反射プリズム付きポ−ルを設置できない点である。それにより測針器付き反射プリズムを使用せざるを得ず三脚等で固定が困難な為、測量補助者が必要となり一人では測量できない。また、反射プリズムを手によって支持するため、支持者の体が観測の障害となったり、手ぶれを生ずる等の精度の低下を招きやすく、作業効率も悪い。
【０００７】
観測点が僅かでも視準出来ないと観測は困難である点。
【０００８】
【課題を解決するための手段】
２個の反射プリズムを１個の測定体で結合させて、目標点に対して画一的にオフセットした２点の偏心点を設定する。目標点との偏心距離と偏心方向の位置関係（偏心要素）は事前に決めているので、その２点を観測し座標換算すれば、目標点を座標上で容易に帰心計算できる
【０００９】
【発明の実施の形態】
ト−タルステ−ションと称される光波測距儀を用いて測量する測点に於ける観測装置であり、２個の反射プリズムを１個の測定体で結合させて、照準点・第１反射プリズム・第２反射プリズムの３点を一直線上に、且つ　定間隔に配置させる装置である。
【００１０】
照準点の先端は鋭角とし、強度保持の為、中心線に対しての角度に異差がある。また、測針や下げ振りフック等の補助部品は、オフセットの基本値に限らず取付部を伸長等させることにより多様なオフセット値（偏心要素）とする事ができる。
【００１１】
測針は直交する針部と取付部及び位置確定用ピンから成り、固定ネジにて測定体位置決め部に取り付けることができる。下げ振りフックはフックと取付部及び位置確定用ピンから構成され固定ネジにて測定体位置決め部に取り付けることができる。
【００１２】
中央部には貫通穴と固定ネジがあり、貫通穴に反射プリズム付きポ−ルに設置し、ポールを三脚等で固定できる。後端部にも貫通穴と固定ネジがあり、反射プリズムを設置できる補助ポールがある。
【００１３】
なお、照準点・第１反射プリズム・第２反射プリズムの３点を一直線上に、且つ　定間隔に配置させることが出来るなら、実施例示した貫通穴と固定ネジ形式に限定されず、貫通穴部を延長したり・補助部品を装着したりして固着強度を高めたり、貫通穴自体がネジ穴となっていて測量ポールに装着できる形式でも良い。
【００１４】
測定体は傾斜すると、照準点と第１反射プリズムの間のオフセット値（偏心距離）に誤差を生ずるため、気泡管等により水平を確認する装置を持っていることする。
【００１５】
照準点と第１反射プリズム間の表面にはオフセット値（偏心距離）を表示することが望ましい
【００１６】
【実施例】
図３は、本発明装置を利用して構造物の入隅点を側面より観測する実施例である。測定点である入隅に水準器により該測定体の水平を確認しながら位置決め部（照準点）を位置決めし、反射プリズム取付用ポ−ルを三脚等で固定し、反射プリズムを測量器に各々正対させる。
【００１７】
【発明の効果】
構造物の側壁の測点観測ができると共に、図４に示すように測針を使用してコンクリ−ト擁壁で面取りした部分等の仮想面の交点も静止した状態で容易に設定観測出来る。又、下げ振りを使用して下方に位置するマンホールの中の測点の様に観測点を直接視準できなくても算出は可能である。
【００１８】
従来は反射プリズムを手によって支持したので器械側と反射プリズム側と２名必要であったが、プリズム三脚等により固定設置出来るので一人でも観測可能となった。
【００１９】
以上説明したように現場では、測定体の水平を確認しながら目標点に照準点を位置決めし、偏心した２点を単に観測すればよく、観測困難な箇所に対する測量を容易にした。
【００２０】
ト−タルステ−ションと称される光波測距儀は観測機能・演算機能・記録機能等を有しているので、２点の偏心点を観測し・オフセット値（偏心距離）を入力することで目標点を算出し、目標点のみを記録するよう設定することも可能である。自動追尾ＴＳの測点観測部にも利用できる
【図面の簡単な説明】
【図１】反射プリズムに測針器を取り付けて測定する従来技術の実施方法の説明図である。
【図２】視準出来ない入隅を測定する場合の実施方法を示した計画概要図である。
【図３】入隅を側面から測定する場合の実施方法を示した説明図である。
【図４】測針の補助部品を取り付け、擁壁出隅面取り角を測定する場合の実施方法を示した説明図である。
【図５】測針・下げ振りフック等の補助部品を取り付けた状態の平面・立面である。
【符号の説明】
１　測定体
２　照準点
３　第１反射プリズム
４　第２反射プリズム
５　反射プリズム取付用ポ−ル
６　反射プリズム取付用補助ポ−ル
７　水準器
８　固定ねじ
９　測針
１０　下げ振りフック
１１　補助部品位置確定用ピン
１２　反射プリズム
１３　測針器
【図１】
2004053328.tif 000003
【図２】
2004053328.tif 000004
【図３】
2004053328.tif 000005
【図４】
2004053328.tif 000006
【図５】
2004053328.tif 000007